(57)【要約】【課題】フレキシブルケーブルとコンタクトとの間に信頼性の高い接続状態を維持できるコネクタを提供する。【解決手段】加圧カバー４を下方へ回動して、加圧カバー４によりフレキシブルケーブル６を押圧して、弾性接触ビーム３１に押し付ける。フレキシブルケーブル６の回路パターンが弾性接触ビーム３１の接点部３２と接触して導通し、フレキシブルケーブル６と各コンタクト３とが電気的に接続されるようになる。ロック蓋５のスライド部５３をハウジング２のスライド溝２３に沿わせてスライドさせることによって、ロック蓋５をハウジング２の凹部２４においてＡ方向にスライドさせる。ロック蓋５の一部は加圧カバー４上の凹部４２へとスライドし、ロック蓋５の抜け止め挿入穴５１に加圧カバー４の抜け止め４３が挿入されるまでロック蓋５をスライドさせる。これにより、ロック蓋５がハウジング２および加圧カバー４上に固定されて位置することになり、加圧カバー４が塞がれ、ロックされることになる。【選択図】        図２
2004193015.tif 000002
【特許請求の範囲】
【請求項１】
複数のコンタクトを保持すると共に、フレキシブルケーブルが挿入されるハウジングと、このハウジングに回動自在に取り付けられると共に、回動されることにより前記フレキシブルケーブルを押圧して前記フレキシブルケーブルと前記コンタクトを接続する加圧カバーとを有するコネクタにおいて、
前記加圧カバーを閉塞可能なロック蓋を備えたことを特徴とするコネクタ。
【請求項２】
前記ロック蓋は、前記ハウジングまたは前記加圧カバー上に取り付けられたことを特徴とする請求項１記載のコネクタ。
【請求項３】
前記ロック蓋は、前記ハウジングおよび前記加圧カバー上のうちの少なくとも一方に取り付けられる単独な部材であることを特徴とする請求項１記載のコネクタ。
【請求項４】
前記ロック蓋は、前記ハウジングおよび前記加圧カバー上をスライド自在であることを特徴とする請求項２または３記載のコネクタ。
【請求項５】
前記ロック蓋は、前記ハウジングまたは前記加圧カバーに回動自在に取り付けられたことを特徴とする請求項２または３記載のコネクタ。
【請求項６】
前記ロック蓋は、前記ハウジングまたは前記加圧カバー上に設けられた抜け止めに挿入される挿入穴が設けられたことを特徴とする請求項１ないし５のいずれかに記載のコネクタ。
【発明の詳細な説明】
【０００１】
【発明の属する技術分野】
本発明は、例えばＦＰＣ(Flexible Printed Circuit)、ＦＦＣ(Flexible FlatCable)等のフレキシブルケーブルを回路基板に接続するためのコネクタに関する。
【０００２】
【従来の技術】
電子機器における筐体内の回路基板にＦＰＣ等のフレキシブルケーブルを接続するためのＺＩＦ(Zero Insertion Force)(ゼロ挿入圧力)コネクタとして、種々のものが知られている。
【０００３】
このようなコネクタとしては、昨今のコネクタの薄型化、小型化に加え、作業性の向上、及び、フレキシブルケーブルに挿入目印である耳部や肩部を装備させる必要性等のために、加圧カバーを回動させることによりフレキシブルケーブルとコンタクトとを電気的に接続するカバーワンタッチ式のものが多く用いられている（例えば、特許文献１参照。）。
【０００４】
例えば、このカバーワンタッチ式のコネクタは、図５に示すように、上方向に向けて開口する開口部が設けられている絶縁ハウジング１１０に、複数のコンタクト１２０が図において紙面に直角方向に一定ピッチで収容保持されている。また、ハウジング１１０の開口部には回動支持部１３０により回動自在に支持された絶縁加圧カバー１４０が取り付けられている。加圧カバー１４０を回動させることにより、加圧カバー１４０の加圧突起１４１がフレキシブルケーブル２００をコンタクト１２０の弾性接触ビーム１２１に押し付け、フレキシブルケーブル２００の回路パターンがコンタクト１２０の接点部１２２と接触して導通し、フレキシブルケーブル２００と各コンタクト１２０とが電気的に接続されるようになっている。
【０００５】
【特許文献１】
実用新案登録第２５８００７４号（第５図）
【０００６】
【発明が解決しようとする課題】
しかしながら、上述のコネクタ１００では、コンタクト１２０の回動支持部１３０が櫛歯状に配設されて軸状をなし、この金属製の回動支持部１３０に加圧カバー１４０の湾曲された凹部１４２が係合されることにより、回動支持部１３０に加圧カバー１４０が回動支持されている。よって、加圧カバー１４０はプラスチック材料で成形されているため、金属製の回動支持部１３０より強度が小さく、その結果、加圧カバー１４０の凹部１４２が変形してしまい、押し付け力が低下して一定しないおそれが生じてしまう。
【０００７】
このように加圧カバー１４０による押し付け力が低下すると、フレキシブルケーブル２００のセット内実装時における応力により、加圧カバー１４０が開いてしまい、例えば市場においてフレキシブルケーブル２００がコネクタ１００から抜けてしまったり、また、フレキシブルケーブル２００とコンタクト１２０の接点部１２２との接圧不足が生じ、例えば市場において接触不良を起こしてしまうという問題があった。
【０００８】
本発明はかかる問題点に鑑みてなされたもので、その目的は、フレキシブルケーブルとコンタクトとの間に信頼性の高い接続状態を維持できるコネクタを提供することにある。
【０００９】
【課題を解決するための手段】
本発明によるコネクタは、複数のコンタクトを保持すると共に、フレキシブルケーブルが挿入されるハウジングと、このハウジングに回動自在に取り付けられると共に、回動されることによりフレキシブルケーブルを押圧してフレキシブルケーブルとコンタクトを接続する加圧カバーとを有するコネクタにおいて、加圧カバーを閉塞可能なロック蓋を備えている。
【００１０】
本発明によるコネクタでは、ロック蓋がハウジングおよび加圧カバー上に固定されて位置することにより、加圧カバーが閉塞される。ロック蓋により加圧カバーが固定されるようにしたので、加圧カバーが開いてしまうことを防止することができる。よって、加圧カバーの押し付け力を強く、一定に維持することができる。
【００１１】
【発明の実施の形態】
以下、本発明の実施の形態について図面を参照して詳細に説明する。
【００１２】
[第１の実施の形態]
図１および図２は、本発明の第１の実施の形態のコネクタの構成を表すものである。このコネクタ１は、絶縁ハウジング２と、このハウジング２に図２において紙面に直角方向に一定ピッチで収容保持される複数のコンタクト３と、ハウジング２に回動自在に取り付けられる絶縁加圧カバー４と、ハウジング２にスライド自在に取り付けられたスライダであり、加圧カバー４を閉塞させることが可能なロック蓋５とから構成されている。
【００１３】
ハウジング２は、絶縁材料により成形されており、上部壁２１の前半部分を除去して上方に向けて開口する開口部２２が設けられている。ハウジング２の長手方向の両端部には、加圧カバー４を回動自在に支持するための軸支部２６が設けられている。また、ハウジング２の上部壁２１の上面には、ロック蓋５をスライド自在にガイドするスライド溝２３と、ロック蓋５をスライドさせるための凹部２４とが設けられている。
【００１４】
コンタクト３は、金属薄板により成形されている。このコンタクト３は、上下方向へ弾性変形可能に形成された弾性接触ビーム３１と、弾性接触ビーム３１の先端に形成された突起状の接点部３２とを有する。
【００１５】
加圧カバー４は、絶縁材料により成形されている。この加圧カバー４には、ハウジング２の軸支部２６に嵌合して回動自在に軸支される軸部４１と、ロック蓋５を加圧カバー４上でスライドさせるための凹部４２と、ロック蓋５を加圧カバー４上で固定するための弾性を有する抜け止め４３とが設けられている。
【００１６】
ロック蓋５は、例えば絶縁材料により成形されている。このロック蓋５には、加圧カバー４の抜け止め４３が挿入される抜け止め挿入穴５１と、スライド方向を表示する矢印５２と、ハウジング２のスライド溝２３をスライドする凸状のスライド部５３とが設けられている。
【００１７】
次に、このように構成されたコネクタ１にフレキシブルケーブル６を接続する方法について説明する。
【００１８】
まず、ハウジング２に対して加圧カバー４を上方の開放位置まで回動して、ハウジング２の前端および上方の開口部２２を開放する。この状態で、開口部２２からフレキシブルケーブル６を挿入目印である耳部６１がハウジング２に接するまで挿入し弾性接触ビーム３１上に位置させる。続いて、加圧カバー４を下方へ回動して、加圧カバー４によりフレキシブルケーブル６を押圧して、弾性接触ビーム３１に押し付けると、フレキシブルケーブル６の回路パターンが弾性接触ビーム３１の接点部３２と接触して導通し、フレキシブルケーブル６と各コンタクト３とが電気的に接続されるようになる。
【００１９】
本実施の形態では、このような図２（ａ）に示した状態から、さらに、図２（ｂ）に示すように、ロック蓋５のスライド部５３をハウジング２のスライド溝２３に沿わせてスライドさせることによって、ロック蓋５をハウジング２の凹部２４においてＡ方向にスライドさせる。ロック蓋５の一部は加圧カバー４上の凹部４２へとスライドし、ロック蓋５の抜け止め挿入穴５１に加圧カバー４の抜け止め４３が挿入されるまでロック蓋５をスライドさせる。これにより、ロック蓋５がハウジング２および加圧カバー４上に固定されて位置することになり、加圧カバー４が塞がれ、ロックされることになる。なお、ロック蓋５の抜け止め挿入穴５１に加圧カバー４の抜け止め４３が挿入されることにより、ロックがより確実になる。
【００２０】
このように本実施の形態に係るコネクタでは、ロック蓋５により加圧カバー４が固定されるようにしたので、故意にロック蓋５を解除しない限り、例えばフレキシブルケーブル６のセット内実装時における応力等により、加圧カバー４が開いてしまうことを防止することができる。よって、加圧カバー４の押し付け力を強く、一定に維持することができる。その結果、市場不良の要因ともなるフレキシブルケーブル抜けや接触不良を防止することができる。すなわち、フレキシブルケーブル６がコネクタ１から抜けてしまうことを防止することができるとともに、フレキシブルケーブル６とコンタクト３の接点部３２との接圧も十分となり接触不良を起こすことを防止することもできる。
【００２１】
また、このように本実施の形態に係るコネクタでは、加圧カバー４の押し付け力を強く、一定に維持することができるようにしたので、コネクタの薄型化、小型化、作業性の向上、および、フレキシブルケーブルに挿入目印である耳部や肩部を装備させる必要性等に適したカバーワンタッチ開閉方式のコネクタを信頼して用いることができるようになる。
【００２２】
[第２の実施の形態]
図３は、本発明の第２の実施の形態のコネクタの構成を表すものである。本実施の形態のコネクタにおいては、第１の実施の形態のコネクタと同一の構成の部分には同一の符号を付し、第１の実施の形態の説明を援用し、第１の実施の形態と異なる点についてのみ説明する。
【００２３】
第１の実施の形態においては、ハウジング２にロック蓋５が取り付けられていたが、本実施の形態のコネクタ７においては、加圧カバー４に、加圧カバー４を閉塞させることが可能なロック蓋８が回動自在に取り付けられている。このロック蓋８は、例えば絶縁材料により成形されており、ロック蓋８には、加圧カバー４に設けられた軸４４に嵌合する軸孔８３と、ハウジング２の弾性を有する抜け止め２５が挿入される抜け止め挿入穴８１と、スライド方向を表示する矢印８２とが設けられている。
【００２４】
次に、このように構成されたコネクタ７にフレキシブルケーブル６を接続する方法について説明する。第１の実施の形態で説明したのと同様に、まず、加圧カバー４を下方へ回動して、加圧カバー４によりフレキシブルケーブル６を押圧して、弾性接触ビーム３１に押し付けて、フレキシブルケーブル６の回路パターンが弾性接触ビーム３１の接点部３２と接触して導通し、フレキシブルケーブル６と各コンタクト３とが電気的に接続されるようにする。
【００２５】
続いて、ロック蓋８を図３におけるＢ方向であるハウジング２の方向へと回動させる。ロック蓋８の一部はハウジング２上の凹部２４へと回動し、ロック蓋８の抜け止め挿入穴８１にハウジング２の抜け止め２５が挿入されるまでロック蓋８を回動させる。これにより、ロック蓋８がハウジング２および加圧カバー４上に固定されて位置することになり、加圧カバー４が塞がれ、ロックされることになる。本実施の形態においても、第１の実施の形態で説明したのと同様な効果を得ることができる。
【００２６】
[第３の実施の形態]
図４は、本発明の第３の実施の形態のコネクタに用いられるロック蓋の構成を表すものである。本実施の形態においては、第１の実施の形態の説明を援用し、第１の実施の形態と異なる点についてのみ説明する。
【００２７】
本実施の形態においては、加圧カバー４を閉塞させることが可能なスライダであるロック蓋９は、ハウジング２や加圧カバー４にすでに取り付けられているのではなく、単独な部材としてハウジング２または加圧カバー４の少なくともいずれか一方に取り付けられる。ロック蓋９は、例えば絶縁材料により成形されており、このロック蓋９には、加圧カバー４の抜け止め４３が挿入される抜け止め挿入穴９１と、スライド方向を表示する矢印９２と、例えば加圧カバー４に形成されたスライド溝をスライドする凸状のスライド部９３とが設けられている。
【００２８】
次に、このように構成されたロック蓋９を用いてコネクタにフレキシブルケーブル６を接続する方法について説明する。第１の実施の形態で説明したのと同様に、まず、加圧カバー４を下方へ回動して、加圧カバー４によりフレキシブルケーブル６を押圧して、弾性接触ビーム３１に押し付けて、フレキシブルケーブル６の回路パターンが弾性接触ビーム３１の接点部３２と接触して導通し、フレキシブルケーブル６と各コンタクト３とが電気的に接続されるようにする。
【００２９】
続いて、単独のロック蓋９のスライド部９３を加圧カバー４に設けられたスライド溝に沿わせてスライドさせるようにして、ロック蓋９をハウジング２および加圧カバー４の上に取り付ける。そして、ロック蓋９の抜け止め挿入穴９１に加圧カバー４の抜け止め４３が挿入されるまでロック蓋９をスライドさせる。これにより、ロック蓋９がハウジング２および加圧カバー４上に固定されて位置することになり、加圧カバー４が塞がれ、ロックされることになる。本実施の形態においても、第１の実施の形態で説明したのと同様な効果を得ることができる。また、単独のロック蓋とすることにより、特に、加圧カバー４の押し付け力を強めたかったり、一定に維持したい場合にのみロック蓋を利用する等、ロック蓋の使用に選択性をもたせることが可能となる。
【００３０】
以上、いくつかの実施の形態を挙げて本発明を説明したが、本発明は上記各実施の形態に限定されるものではなく、種々変形が可能である。
【００３１】
例えば、上記各実施の形態においては、抜け止めを用いる例について説明したが、ロック蓋により加圧カバーをロックする力が十分であれば、必ずしも抜け止めは必要ではない。
【００３２】
また、上記第１の実施の形態においては、スライド溝２３をハウジング２にだけ設ける例について説明したが、加圧カバー４にもロック蓋５をスライドさせるスライド溝を設けるようにしてもよい。
【００３３】
さらに、上記第１の実施の形態においては、スライドさせるロック蓋５をハウジング２に取り付け、上記第２の実施の形態においては、回動させるロック蓋８を加圧カバー４に取り付ける例について説明したが、回動させるロック蓋をハウジング２に取り付け、スライドさせるロック蓋を加圧カバー４に取り付けるようにしてもよい。
【００３４】
また、上記第３の実施の形態においては、単独のロック蓋９にスライド部９３を設ける例について説明したが、ロック蓋により加圧カバーをロックする力が十分であれば、必ずしもスライド部９３は必要ではない。
【００３５】
さらに、上記第３の実施の形態においては、単独のロック蓋９のスライド部９３をスライドさせるスライド溝を加圧カバー４に設ける例について説明したが、ハウジング２にスライド溝を設けるようにしてもよい。
【００３６】
また、上記第３の実施の形態においては、スライドさせる単独のロック蓋９の例について説明したが、ハウジングまたは加圧カバーに設けられた軸に嵌合される軸孔を有し、回動させる単独のロック蓋としてもよい。
【００３７】
【発明の効果】
以上説明したように、本発明のコネクタによれば、フレキシブルケーブルとコンタクトとの間に信頼性の高い接続状態を維持することができる。
【図面の簡単な説明】
【図１】本発明の第１の実施の形態に係るコネクタの構成を表す斜視図である。
【図２】図１に示したコネクタにおけるロック蓋の開閉状態を表す断面図である。
【図３】本発明の第２の実施の形態に係るコネクタの構成を表す斜視図である。
【図４】本発明の第３の実施の形態に係るコネクタに用いられるロック蓋の構成を表す斜視図である。
【図５】従来のコネクタの構成を表す断面図である。
【符号の説明】
１，７…コネクタ、２…ハウジング、３…コンタクト、３２…接点部、４…加圧カバー、５，８，９…ロック蓋、６…フレキシブルケーブル
【図１】
2004193015.tif 000003
【図２】
2004193015.tif 000004
【図３】
2004193015.tif 000005
【図４】
2004193015.tif 000006
【図５】
2004193015.tif 000007